(57)【要約】【課題】鳴動を簡単に制御できる携帯端末装置を提供する。【解決手段】携帯端末装置の一態様である携帯電話１００は、携帯電話１００の動作を制御するためのＣＰＵ２０と、携帯電話１００の鳴動動作を制御するためのタッチ面積、または、掌とタッチパネルとの間隔を格納するように構成されたフラッシュメモリ２７と、画像、文字その他の情報を表示するためのタッチパネル式のモニタ３５と、携帯電話１００に対するタッチ操作を検出するためのタッチパネルセンサ４０とを備える。制御部３１０は、鳴動部（スピーカ３３またはバイブレータ３８）による鳴動の前後のモニタ３５におけるタッチ面積の変化に基づいて、当該鳴動部による鳴動の態様を変更するように構成されている。【選択図】図１
2014171176.tif 000002
【特許請求の範囲】
【請求項１】
携帯端末装置であって、
前記携帯端末装置に対するタッチ操作を検出するタッチセンサを有するモニタと、
前記携帯端末装置を鳴動するための鳴動手段と、
前記鳴動手段による鳴動を制御するための制御手段とを備え、
前記制御手段は、前記鳴動手段による鳴動の前後の前記モニタにおけるタッチ面積の変化に基づいて、前記鳴動手段の鳴動の態様を変更するように構成されている、携帯端末装置。
【請求項２】
前記鳴動手段の鳴動の態様を変更することは、前記鳴動時の前記モニタにおけるタッチ面積が前記鳴動前の前記モニタにおけるタッチ面積を上回ったときに前記鳴動手段による鳴動を停止することを含む、請求項１に記載の携帯端末装置。
【請求項３】
携帯端末装置であって、
前記携帯端末装置に対するホバー操作を検出するセンサを有するモニタと、
前記携帯端末装置を鳴動するための鳴動手段と、
前記モニタを操作するための操作手段と前記モニタとの間の距離に応じて、前記鳴動手段による鳴動を制御するための制御手段とを備える、携帯端末装置。
【請求項４】
前記制御手段は、
前記操作手段が前記モニタに接触している場合には、前記鳴動手段の鳴動を停止し、
前記距離が予め規定された距離よりも小さい場合には、予め設定された第１の態様で前記鳴動手段を鳴動し、
前記距離が予め規定された距離よりも大きい場合には、予め設定された第２の態様で前記鳴動手段を鳴動するように構成されており、前記第２の態様における鳴動レベルは、前記第１の態様における鳴動レベルよりも小さい、請求項３に記載の携帯端末装置。
【請求項５】
前記鳴動手段は、スピーカまたはバイブレータのいずれかを含む、請求項１〜４のいずれか一項に記載の携帯端末装置。
【発明の詳細な説明】
【技術分野】
【０００１】
本発明は、携帯端末装置の制御に関し、より特定的には、携帯端末装置の鳴動の制御に関する。
【背景技術】
【０００２】
携帯電話その他の携帯端末装置において、鳴動の増加、減少または停止等を制御する場合の操作方法として、たとえば、（１）音量調整キー（ハードキーまたはソフトキーを含む）の押下による制御、（２）消音ボタンの押下あるいは電子機器がひっくり返される等の状態変化をセンサで感知することによる消音等が知られている。
【０００３】
たとえば、会議中において、不意に携帯端末装置が鳴動する場合がある。このとき、音量を制御するための操作（音量調整キーを探し当てて消音する等）に時間を要し、他の参加者に迷惑をかける可能性もある。
【０００４】
音量の制御に関し、たとえば、特開平１０−１３８８９号公報（特許文献１）は、「無線呼出しシステムにおいて、呼出されたときのブザー等の呼出し音を簡単に、かつ誤操作のおそれなく停止することができる端末装置」を開示している。具体的には、「基地局からの呼出し信号ＣＡＬが受信部１２で受信されると、制御部１４によって、呼出し信号ＣＡＬ中の呼出し番号が自己に割当てられた番号ＮＵＭか否かが判定される。一致している場合、着信信号ＣＬＤがサウンダ１７に出力され、呼出し音による呼出し動作が行われる。一方、着信信号ＣＬＤが出力されている間、制御部１４によって面スイッチ１８からの確認信号ＡＣＫが監視される。この面スイッチ１８は、端末装置のケースの表面のほぼ全体を押圧部とし、その押圧部が押圧されたときに確認信号ＡＣＫが出力される。制御部１４によって、確認信号ＡＣＫが第１の設定時間継続して検出され、かつ第２の設定時間以内に停止した場合にのみ、呼出し音の出力が停止される。」というものである（［要約］参照）。
【先行技術文献】
【特許文献】
【０００５】
【特許文献１】特開平１０−１３８８９号公報
【発明の概要】
【発明が解決しようとする課題】
【０００６】
しかしながら、特許文献１に開示された技術によれば、音量変更のボタンが当該端末装置の筺体の表面全体によって形成されているだけであり、依然として、ボタン操作が必要になる。したがって、ボタン操作を行なうことなく音量を調整する技術が必要とされている。
【０００７】
この開示は上述のような問題点を解決するためになされたものであって、ある局面における目的は、鳴動を簡単に制御できる携帯端末装置を提供することである。
【課題を解決するための手段】
【０００８】
一実施の形態に従う携帯端末装置は、携帯端末装置に対するタッチ操作を検出するタッチセンサを有するモニタと、携帯端末装置を鳴動するための鳴動手段と、鳴動手段による鳴動を制御するための制御手段とを備える。制御手段は、鳴動手段による鳴動の前後のモニタにおけるタッチ面積の変化に基づいて、鳴動手段の鳴動の態様を変更するように構成されている。
【０００９】
好ましくは、鳴動手段の鳴動の態様を変更することは、鳴動時のモニタにおけるタッチ面積が鳴動前のモニタにおけるタッチ面積を上回ったときに鳴動手段による鳴動を停止することを含む。
【００１０】
他の実施の形態に従う携帯端末装置は、携帯端末装置に対するホバー操作を検出するセンサを有するモニタと、携帯端末装置を鳴動するための鳴動手段と、モニタを操作するための操作手段とモニタとの間の距離に応じて、鳴動手段による鳴動を制御するための制御手段とを備える。
【００１１】
好ましくは、制御手段は、操作手段がモニタに接触している場合には、鳴動手段の鳴動を停止し、距離が予め規定された距離よりも小さい場合には、予め設定された第１の態様で鳴動手段を鳴動し、距離が予め規定された距離よりも大きい場合には、予め設定された第２の態様で鳴動手段を鳴動するように構成されている。第２の態様における鳴動レベルは、第１の態様における鳴動レベルよりも小さい。
【００１２】
好ましくは、鳴動手段は、スピーカまたはバイブレータのいずれかを含む。
ある局面において、鳴動を簡単に制御することができる。
【００１３】
この発明の上記および他の目的、特徴、局面および利点は、添付の図面と関連して理解されるこの発明に関する次の詳細な説明から明らかとなるであろう。
【図面の簡単な説明】
【００１４】
【図１】携帯電話１００のハードウェア構成を表わすブロック図である。
【図２】タッチ機能を有するモニタ３５におけるタッチされた領域の変化を表わす図である。
【図３】携帯電話１００の機能的構成を表わすブロック図である。
【図４】携帯電話１００が実行する処理の一部を表わすフローチャートである。
【図５】携帯電話１００が実行する処理の一部を表わすフローチャートである。
【図６】携帯電話１００に物体６００が近接するに応じて鳴動動作が切り換わる状態を表わす図である。
【図７】携帯電話１００のＣＰＵ２０が実行する処理の一部を表わすフローチャートである。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
本実施の形態に係る携帯端末装置は、たとえば、携帯電話、スマートフォンその他の端末装置であって、タッチパネルと鳴動機能とを備える情報処理端末によって実現される。より具体的には、本実施の形態に係る携帯端末装置と、通常のキータッチによる鳴動の停止等との違いは、本実施の形態に係る携帯端末装置は、鳴動の前後でタッチされている面積を比較して、面積が増えた場合に鳴動を小さくする点である。
【００１７】
たとえば、本実施の形態に係る携帯端末装置は、ユーザがタッチパネルを「広範囲にタッチ」（たとえば、携帯端末装置のユーザの掌全体でタッチパネル面をタッチ）することをトリガーにして、音出力あるいは振動等の鳴動動作を停止する。
【００１８】
他の局面において、非接触状態（ユーザの手がタッチパネルに触れていない状態）では、携帯端末装置は、タッチパネルにおけるホバー操作検出機能を用いて、タッチパネルにかざされた掌とモニタ面との距離を算出し、その距離に応じて、鳴動動作を切り換える。たとえば、携帯端末装置は、当該距離がゼロの場合には、消音（あるいは振動を停止）する。当該距離が予め設定された閾値よりも近い場合には、携帯端末装置は、着信を通知するための音量を予め規定された極小の音量まで小さくする。当該距離が予め設定された閾値よりも大きい場合には、携帯端末装置は、当該音量を、上記極小の音量と、予め規定された音量との間の音量まで小さくする。
【００１９】
以下、本発明の実施の形態に係る携帯端末装置の一態様として携帯電話１００について説明する。
【００２０】
＜第１の実施の形態＞
［ハードウェア構成］
図１を参照して、本実施の形態に係る携帯電話１００の構成について説明する。図１は、携帯電話１００のハードウェア構成を表わすブロック図である。
【００２１】
携帯電話１００は、ＣＰＵ２０と、アンテナ２３と、通信装置２４と、操作ボタン２５と、カメラ２６と、フラッシュメモリ２７と、ＲＡＭ（Random  Access  Memory）２８と、ＲＯＭ（Read  Only  Memory）２９と、メモリカード駆動装置３０と、マイク３２と、スピーカ３３と、音声信号処理回路３４と、モニタ３５と、ＬＥＤ（Light  Emitting  Diode）３６と、データ通信インターフェイス３７と、バイブレータ３８と、加速度センサ３９と、タッチパネルセンサ４０とを備える。メモリカード駆動装置３０には、メモリカード３１が装着され得る。
【００２２】
アンテナ２３は、基地局によって発信される信号を受信し、または、基地局を介して他の通信装置と通信するための信号を送信する。アンテナ２３によって受信された信号は、通信装置２４によってフロントエンド処理が行なわれた後、処理後の信号は、ＣＰＵ２０に送られる。
【００２３】
操作ボタン２５は、携帯電話１００に対する操作を受け付ける。操作ボタン２５は、たとえば、ハードキー、ソフトキーとして実現される。当該操作に応じた信号は、ＣＰＵ２０に入力される。
【００２４】
ＣＰＵ２０は、携帯電話１００に対して与えられる命令に基づいて携帯電話１００の動作を制御するための処理を実行する。
【００２５】
フラッシュメモリ２７は、ＣＰＵ２０から送られるデータを格納する。また、ＣＰＵ２０は、フラッシュメモリ２７に格納されているデータを読み出し、そのデータを用いて予め規定された処理を実行する。ＲＡＭ２８は、操作ボタン２５に対して行なわれた操作に基づいてＣＰＵ２０によって生成されるデータを一時的に保持する。ＲＯＭ２９は、携帯電話１００に予め定められた動作を実行させるためのプログラムあるいはデータを格納している。ＣＰＵ２０は、ＲＯＭ２９から当該プログラムまたはデータを読み出し、携帯電話１００の動作を制御する。
【００２６】
メモリカード駆動装置３０は、メモリカード３１に格納されているデータを読み出し、ＣＰＵ２０に送出する。メモリカード駆動装置３０は、ＣＰＵ２０によって出力されるデータを、メモリカード３１の空き領域に書き込む。
【００２７】
携帯電話１００が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された信号処理を実行し、処理後の信号をスピーカ３３に送出する。スピーカ３３は、その信号に基づいて音声を出力する。
【００２８】
マイク３２は、携帯電話１００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００２９】
なお、図１に示される例では、ＣＰＵ２０と音声信号処理回路３４とが別個の構成として示されているが、他の局面において、ＣＰＵ２０と音声信号処理回路３４とが一体として構成されていてもよい。
【００３０】
モニタ３５は、タッチパネル式のディスプレイであるが、タッチパネルの機構は特に限られない。モニタ３５は、ＣＰＵ２０から取得されるデータに基づいて、当該データによって規定される画像を表示する。たとえば、モニタ３５は、フラッシュメモリ２７が格納している静止画像、動画像、音楽その他のコンテンツを表示する。静止画像は、描画された画像、デフォルトで携帯電話１００の製造事業者によって予め準備された画像、または、カメラ２６による撮影によって得られる画像を含み得る。
【００３１】
ＬＥＤ３６は、ＣＰＵ２０からの信号に基づいて、予め定められた発光動作を実現する。データ通信インターフェイス３７は、データ通信用のケーブルの装着を受け付ける。
【００３２】
データ通信インターフェイス３７は、ＣＰＵ２０から出力される信号を当該ケーブルに対して送出する。あるいは、データ通信インターフェイス３７は、当該ケーブルを介して
受信されるデータを、ＣＰＵ２０に対して送出する。
【００３３】
バイブレータ３８は、ＣＰＵ２０から出力される信号に基づいて、予め定められた周波数で発振動作を実行する。
【００３４】
加速度センサ３９は、携帯電話１００に作用する加速度の方向を検出する。検出結果は、ＣＰＵ２０に入力される。
【００３５】
タッチパネルセンサ４０は、モニタ３５に含まれるタッチパネルに対するタッチ操作を検出し、タッチ操作に応じた信号をＣＰＵ２０に送る。タッチパネルセンサ４０は、たとえば、静電センサによって実現される。なお、本実施の形態において、タッチ操作は、タッチパネルに実際に接触する操作に限られず、ホバー操作も含み得る。タッチパネルセンサ４０の検出感度を上げることにより、当該タッチパネルセンサ４０は、ホバー操作を検出することが可能になる。
【００３６】
なお、携帯電話１００の構成は上述のものに限られず、少なくとも、タッチ操作検出機能を有する通信端末であればよい。
【００３７】
［技術思想］
図２を参照して、本実施の形態に係る携帯電話１００の技術思想について説明する。図２は、タッチ機能を有するモニタ３５におけるタッチされた領域の変化を表わす図である。
【００３８】
状態Ａに示されるように、ある局面において、モニタ３５は、携帯電話１００のユーザによるタッチ操作を検出する。このとき、たとえばモニタ３５は、領域２１０においてタッチされていることを検出する。領域２１０は、たとえば、携帯電話１００のユーザの指先に相当する。
【００３９】
その後、状態Ｂに示されるように、モニタ３５は、領域２２０を検出する。領域２２０は、たとえば、当該ユーザの掌（またはその一部であって、上記指よりも広い部分）に相当する。ここで、領域２２０の面積は、領域２１０の面積よりも大きい。このような状態は、たとえば、携帯電話１００のユーザが状態Ａに示されるように指でモニタ３５の表示領域にタッチしている局面から、状態Ｂに示されるように、掌でモニタ３５の表示領域にタッチした場合に該当する。
【００４０】
状態Ｃは、モニタ３５に対してタッチされている領域が変わらないことを表わす図である。具体的には、ユーザが携帯電話１００をたとえばポケットまたは鞄のような所に置いた状態が該当する。このとき、モニタ３５には何らかの物体が接触することがあり得る。しかし、その状態が維持されている限り、モニタ３５は、領域２１０のみをタッチされた領域として検出する。
【００４１】
したがって、状態Ｃに示される場合には、領域２３０の面積は、領域２１０の面積と実質的に同一である。
【００４２】
［機能構成］
図３を参照して、本実施の形態に係る携帯電話１００によって実現される機能の構成について説明する。図３は、携帯電話１００の機能的構成を表わすブロック図である。携帯電話１００は、制御部３１０と、記憶部３２０と、表示部３３０と、検出部３４０とを備える。
【００４３】
ある局面において、制御部３１０は、携帯電話１００の動作を制御する。たとえば、制御部３１０は、記憶部３２０に保持されているデータに基づいて携帯電話１００の機能（たとえば発信処理、着信処理、表示処理など）を実行する。制御部３１０は、たとえば、ＣＰＵ２０によって実現される。
【００４４】
記憶部３２０は、携帯電話１００に対して予め規定された処理を実行させるためのプログラムおよびデータを格納している。たとえば、記憶部３２０は、携帯電話１００の鳴動動作を制御するためのタッチ面積３２１、または、掌とタッチパネルとの間隔３２２を格納している。タッチ面積３２１および間隔３２２は、予め設定された閾値である。記憶部３２０は、たとえば、フラッシュメモリ２７、ＲＡＭ２８、ＲＯＭ２９、メモリカード３１等によって実現される。
【００４５】
表示部３３０は、制御部３１０による制御に基づいて、画像、文字その他の情報を表示する。たとえば、表示部３３０は、モニタ３５によって実現される。
【００４６】
検出部３４０は、携帯電話１００に対するタッチ操作を検出し、検出に応じた信号を制御部３１０に送信する。制御部３１０は、検出部３４０からの信号に基づいて、表示部３３０の表示領域におけるタッチされた領域の面積を算出する。検出部３４０は、たとえば、タッチパネルセンサ４０によって実現される。
【００４７】
（動作の概要）
ある局面において、ＣＰＵ２０は、鳴動部（スピーカ３３またはバイブレータ３８）による鳴動の前後のモニタにおけるタッチ面積の変化に基づいて、鳴動部の鳴動の態様を変更するように構成されている。
【００４８】
好ましくは、鳴動部の鳴動の態様を変更することは、鳴動時のモニタにおけるタッチ面積が鳴動前のモニタにおけるタッチ面積を上回ったときに鳴動部による鳴動を停止することを含む。
【００４９】
他の局面において、ＣＰＵ２０は、モニタ３５を操作するための操作手段（たとえばユーザの指や掌）とモニタ３５との間の距離に応じて、鳴動部による鳴動を制御するように構成されている。
【００５０】
好ましくは、ＣＰＵ２０は、操作手段がモニタ３５に接触している場合には、鳴動部の鳴動を停止し、当該距離が予め規定された距離よりも小さい場合には、予め設定された第１の態様で鳴動部を鳴動し、当該距離が予め規定された距離よりも大きい場合には、予め設定された第２の態様で鳴動部を鳴動するように構成されている。このとき、第２の態様における鳴動レベルは、第１の態様における鳴動レベルよりも小さい。
【００５１】
［制御構造］
図４および図５を参照して、本実施の形態に係る携帯電話１００の制御構造について説明する。図４および図５は、携帯電話１００が実行する処理の一部を表わすフローチャートである。以下の処理は、たとえばフラッシュメモリ２７に保持されているプログラムがＣＰＵ２０によって実行されることにより実現される。以下の処理は、たとえば、携帯電話１００が待ち受け状態であって、モニタ３５への電力供給が停止している場合に行なわれる。
【００５２】
ステップＳ４１０にて、ＣＰＵ２０は、アンテナ２３を介して、鳴動信号（たとえば電話の着信など）を受信する。
【００５３】
ステップＳ４２０にて、ＣＰＵ２０は、モニタ３５の電源をオンする。モニタ３５に対する供給が開始されると、バックライト（図示しない）が点灯して、モニタ３５は初期画面（たとえば、待ち受け画面）を表示する。また、モニタ３５は、電話の着信を示す電話番号あるいは当該電話番号に関連付けられた発信者の名称も表示し得る。
【００５４】
ステップＳ４３０にて、ＣＰＵ２０は、タッチパネルセンサ４０の電源をオンに設定する。これにより、タッチパネルセンサ４０は、モニタ３５に設けられたタッチパネル（図示しない）に対するタッチ操作を検出可能になる。ユーザが、モニタ３５に対してタッチ操作を行なうと、タッチ操作に応じた検出信号は、ＣＰＵ２０に送られる。
【００５５】
ステップＳ４４０にて、ＣＰＵ２０は、タッチパネルセンサ４０からの出力に基づいて、モニタ３５のタッチパネルにおけるタッチ面積を算出する。たとえば、ＣＰＵ２０は、タッチが検出された点の座標値を用いて、タッチ領域を特定し、当該タッチ領域に含まれる画素数を計算することにより、タッチ面積を算出する。
【００５６】
ステップＳ４５０にて、ＣＰＵ２０は、スピーカ３３またはバイブレータ３８に信号を送ることにより、携帯電話１００の鳴動動作を実行する。
【００５７】
ステップＳ５００にて、ＣＰＵ２０は、後述する「操作時の処理」を実行する。この処理が実行されると、携帯電話１００は、ユーザによる操作に応じて鳴動を継続しまたは停止する。
【００５８】
図５を参照して、ステップＳ５１０にて、ＣＰＵ２０は、タッチパネルセンサ４０からの信号に基づいて、タッチ入力を検出する。
【００５９】
ステップＳ５２０にて、ＣＰＵ２０は、携帯電話１００の鳴動動作の前後においてタッチ面積が増えたか否かを判断する。この判断は、たとえば、閾値として規定されているタッチ面積３２１との比較結果に基づいて行なわれる。鳴動動作後のタッチ面積がタッチ面積３２１を超えている場合、鳴動動作を停止するための操作が行なわれたことになる。ＣＰＵ２０は、タッチ面積が増えたと判断すると（ステップＳ５２０にてＹＥＳ）、制御をステップＳ５３０に切り換える。そうでない場合には（ステップＳ５２０にてＮＯ）、ＣＰＵ２０は、制御をステップＳ５４０に切り換える。
【００６０】
ステップＳ５３０にて、ＣＰＵ２０は、スピーカ３３またはバイブレータ３８に対する信号の送信を停止することにより、携帯電話１００の鳴動動作を停止する。
【００６１】
ステップＳ５４０にて、ＣＰＵ２０は、鳴動動作を継続する。
その後、処理はメイン処理（図４）に戻される。
【００６２】
［実施の形態のまとめ］
以上のようにして、本実施の形態に係る携帯電話１００は、タッチパネル機能を有するモニタ３５において接触された領域の面積に応じて、スピーカ３３からの音声出力またはバイブレータ３８の振動のような鳴動動作を停止する。これにより、携帯電話１００のユーザは、操作ボタン２５の操作のような複雑な操作を行なうことなく、モニタ３５にたとえば掌をおくだけで鳴動動作を止めることができる。
【００６３】
また、本実施の形態によれば、携帯電話１００は、タッチ前後の面積の変化に基づいて、鳴動動作の停止の要否を判断する。この場合、仮に、携帯電話１００がユーザの衣類その他のポケットに入った状態で、ユーザが手をモニタ３５にタッチした場合であっても、そのタッチ面積が大きく変われば、携帯電話１００は、鳴動動作を停止する。これにより、簡易な操作で鳴動動作を簡単に停止することができる。
【００６４】
＜第２の実施の形態＞
以下、本発明の第２の実施の形態について説明する。第２の実施の形態に係る携帯電話１００は、ホバー検出機能を有する点で前述の第１の実施の形態に係る携帯電話１００と異なる。なお、第２の実施の形態に係る携帯電話は、ホバー検出機能を実現するための構成を除いて、図１に示される携帯電話１００のハードウェア構成を用いて実現される。したがって、同一のハードウェア構成の説明は繰り返さない。
【００６５】
本実施の形態において、ホバー検出機能は、たとえば、サイプレス社のタッチスクリーンコントローラを用いて実現される。タッチスクリーンコントローラによれば、携帯電話１００のユーザの手がモニタ３５に接触していない場合であっても、モニタ３５の画面から数ミリ上に手をかざすことにより、ユーザ操作を与えることができる。
【００６６】
［技術思想］
図６を参照して、第２の実施の形態に係る携帯電話１００の技術思想について説明する。図６は、携帯電話１００に物体６００が近接するに応じて鳴動動作が切り換わる状態を表わす図である。
【００６７】
状態Ａに示されるように、ある局面において、物体６００は、携帯電話１００のモニタ３５の上面に存在している。物体６００とモニタ３５との距離は、たとえば距離６１０として算出される。
【００６８】
その後、状態Ｂに示されるように、物体６００がモニタ３５の表示面に近づく。このときの物体６００とモニタ３５との間の距離６２０は、距離６１０よりも小さい。このとき携帯電話１００は、まだ鳴動動作を継続している。状態Ｃに示されるように、さらに物体６００が携帯電話１００に近づき物体６００とモニタ３５との距離６３０が予め設定されたホバー検出範囲内まで近づく。このとき、携帯電話１００は、鳴動動作を停止する。
【００６９】
［制御構造］
図７を参照して、第２の実施の形態に係る携帯電話１００の制御構造について説明する。図７は、携帯電話１００のＣＰＵ２０が実行する処理の一部を表わすフローチャートである。なお、この処理は、図５に示されるステップＳ５００に代えて実行される。その他の処理は、図４に示される処理と同じである。したがって、図４に示される処理と同じ処理の説明は繰り返さない。
【００７０】
ステップＳ７１０にて、ＣＰＵ２０は、ホバー検出機能による検出の結果に基づいて、物体６００とモニタ３５との距離が閾値として予め設定された間隔３２２よりも近いか否かを判断する。ＣＰＵ２０は、その距離が間隔３２２よりも近いと判断すると（ステップＳ７１０にてＹＥＳ）、制御をステップＳ７２０に切り換える。そうでない場合には（ステップＳ７１０にてＮＯ）、ＣＰＵ２０は、制御をステップＳ７５０に切り換える。
【００７１】
ステップＳ７２０にて、ＣＰＵ２０は、物体６００とモニタ３５との距離がゼロであるか否かを判断する。ＣＰＵ２０は、当該距離がゼロであると判断すると（ステップＳ７２０にてＹＥＳ）、制御をステップＳ７３０に切り換える。そうでない場合には（ステップＳ７２０にてＮＯ）、ＣＰＵ２０は、制御をステップＳ７４０に切り換える。
【００７２】
ステップＳ７３０にて、ＣＰＵ２０は、スピーカ３３またはバイブレータ３８に対して送られていた信号の送信を停止することにより、携帯電話１００の鳴動動作を停止する。
【００７３】
ステップＳ７４０にて、ＣＰＵ２０は、スピーカ３３に対する出力信号を最小に設定することにより、スピーカ３３から出力される音声の音量を最小に設定する。
【００７４】
ステップＳ７５０にて、ＣＰＵ２０は、予め設定された間隔だけ音量を小さくすることによりスピーカ３３から出力される音量を「小」に設定する。
【００７５】
その後、処理はメイン処理（図４）に戻される。
以上のようにして、本実施の形態に係る携帯電話１００は、モニタ３５に対するホバー操作時におけるユーザの掌とモニタ３５との間の距離に応じて、鳴動動作を制御する。たとえば、当該距離が予め設定された距離以下になると、携帯電話１００は、鳴動動作を停止する。これにより、ユーザは、複雑な操作を行なうことなく、簡易に携帯電話１００の鳴動動作を止めることができる。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
２０  ＣＰＵ、２３  アンテナ、２４  通信装置、２５  操作ボタン、２６  カメラ、２７  フラッシュメモリ、２８  ＲＡＭ、２９  ＲＯＭ、３０  メモリカード駆動装置、３１  メモリカード、３２  マイク、３３  スピーカ、３４  音声信号処理回路、３５  モニタ、３６  ＬＥＤ、３７  通信インターフェイス、３８  バイブレータ、３９  加速度センサ、４０  タッチパネルセンサ、１００  携帯電話、２１０，２２０，２３０  領域、３１０  制御部、３２０  記憶部、３２１  タッチ面積、３２２，６１０，６２０，６３０  距離、３３０  表示部、３４０  検出部、６００  物体。
【図１】
2014171176.tif 000003
【図２】
2014171176.tif 000004
【図３】
2014171176.tif 000005
【図４】
2014171176.tif 000006
【図５】
2014171176.tif 000007
【図６】
2014171176.tif 000008
【図７】
2014171176.tif 000009